(57)【要約】【課題】移動通信システムにおけるトラフィック量の予測の精度向上を図る。【解決手段】基地局アクセスポイント装置２０で測定されたトラフィック量を示すトラフィックデータを格納するトラフィックデータ記憶部１１と、トラフィックデータ記憶部１１内のトラフィックデータを用いて、将来のトラフィック量が予測される予測対象基地局アクセスポイント装置から所定の移動時間の範囲内に在る基地局アクセスポイント装置２０で測定されたトラフィック量を用いて予測対象基地局アクセスポイント装置の予測トラフィック量を算出する際に用いられるトラフィック量の測定値を補完する予測処理部１２とを備える。【選択図】図１
2013197704.tif 000002
【特許請求の範囲】
【請求項１】
移動通信システムの基地局のアクセスポイントで測定されたトラフィック量を示すトラフィックデータを格納するトラフィックデータ記憶部と、
前記トラフィックデータ記憶部内のトラフィックデータを用いて、予測対象アクセスポイントにおける将来のトラフィック量を予測するトラフィック量予測処理を行う予測処理部と、を備え、
前記予測処理部は、予測対象アクセスポイントから所定の移動時間の範囲内に在るアクセスポイントで測定されたトラフィック量を用いて予測対象アクセスポイントの予測トラフィック量を算出する際に用いられるトラフィック量の測定値を補完するか、又は、トラフィック量が予測される将来の時刻に予測対象アクセスポイントの周辺に在ると推定される移動端末の数を用いて予測対象アクセスポイントの予測トラフィック量を算出する際に用いられるトラフィック量の測定値を補完する、
ことを特徴とするトラフィック量予測処理装置。
【請求項２】
前記予測処理部は、予測対象アクセスポイントからの移動時間が所定時間の範囲内に位置するアクセスポイントの中で、「前記トラフィックデータ記憶部内のトラフィックデータにおいて予測対象アクセスポイントとの相関係数が、正であり且つ所定の閾値以上」であるアクセスポイントで測定されたトラフィック量を用いて、予測対象アクセスポイントの予測トラフィック量を算出する際に用いられるトラフィック量の測定値を補完する、
ことを特徴とする請求項１に記載のトラフィック量予測処理装置。
【請求項３】
前記予測処理部は、予測対象アクセスポイントからの移動時間が所定時間の範囲内に位置するアクセスポイントの中で、「前記トラフィックデータ記憶部内のトラフィックデータにおいて予測対象アクセスポイントとの相関係数が、正であり且つ所定の閾値以上」であるアクセスポイントで測定された第１のトラフィック量と、「前記トラフィックデータ記憶部内のトラフィックデータにおいて予測対象アクセスポイントとの相関係数が、負であり且つ所定の閾値以下」であるアクセスポイントで測定された第２のトラフィック量とを用いるものであって、第１のトラフィック量と第２のトラフィック量の和と、第１のトラフィック量と第２のトラフィック量の差とを用いて、予測対象アクセスポイントの予測トラフィック量を算出する際に用いられるトラフィック量の測定値を補完する、
ことを特徴とする請求項１に記載のトラフィック量予測処理装置。
【請求項４】
ユーザ識別情報と、当該ユーザ識別情報の移動端末がアクセスポイントを介してコンピュータネットワークに接続されるサーバコンピュータに対し情報検索を行った検索時刻と、当該ユーザ識別情報の移動端末が当該情報検索を行った時の位置を示す位置情報との組である検索履歴データを格納する検索履歴データベースを備え、
前記予測処理部は、前記検索履歴データベース内の検索履歴データを用いて、予測対象アクセスポイントから所定の移動時間で移動可能な区域内の位置を示す位置情報を有する検索履歴データのうち、検索時刻が所定期間内である検索履歴データの個数であって同一ユーザ識別情報の検索履歴データを一として計数した個数を用いて、予測対象アクセスポイントの予測トラフィック量を算出する際に用いられるトラフィック量の測定値を補完する、
ことを特徴とする請求項１に記載のトラフィック量予測処理装置。
【請求項５】
ユーザ識別情報と、当該ユーザ識別情報の移動端末がアクセスポイントを介してコンピュータネットワークに接続されるサーバコンピュータに対し情報検索を行った検索時刻と、当該ユーザ識別情報の移動端末が当該情報検索を行った時の位置を示す位置情報と、当該ユーザ識別情報の移動端末が移動する先の位置を示す移動先情報との組である検索履歴データを格納する検索履歴データベースを備え、
前記予測処理部は、前記検索履歴データベース内の検索履歴データを用いて、予測対象アクセスポイントから所定の移動時間で移動可能な区域内の位置を示す移動先情報を有する検索履歴データのうち、検索時刻が所定期間内であり且つ移動先に到着する時刻が所定期間内である検索履歴データの個数であって同一ユーザ識別情報の検索履歴データを一として計数した個数を用いて、予測対象アクセスポイントの予測トラフィック量を算出する際に用いられるトラフィック量の測定値を補完する、
ことを特徴とする請求項１に記載のトラフィック量予測処理装置。
【請求項６】
前記予測処理部は、移動手段別に、前記補完に用いられるトラフィック量の測定値を重み付けする、ことを特徴とする請求項１から５のいずれか１項に記載のトラフィック量予測処理装置。
【請求項７】
コンピュータに、
移動通信システムの基地局のアクセスポイントで測定されたトラフィック量を示すトラフィックデータを格納するトラフィックデータ記憶部内のトラフィックデータを用いて、予測対象アクセスポイントにおける将来のトラフィック量を予測するトラフィック量予測処理を実行させるためのコンピュータプログラムであり、
前記トラフィック量予測処理は、予測対象アクセスポイントから所定の移動時間の範囲内に在るアクセスポイントで測定されたトラフィック量を用いて予測対象アクセスポイントの予測トラフィック量を算出する際に用いられるトラフィック量の測定値を補完するか、又は、トラフィック量が予測される将来の時刻に予測対象アクセスポイントの周辺に在ると推定される移動端末の数を用いて予測対象アクセスポイントの予測トラフィック量を算出する際に用いられるトラフィック量の測定値を補完する、
ことを特徴とするコンピュータプログラム。
【請求項８】
前記トラフィック量予測処理は、予測対象アクセスポイントからの移動時間が所定時間の範囲内に位置するアクセスポイントの中で、「前記トラフィックデータ記憶部内のトラフィックデータにおいて予測対象アクセスポイントとの相関係数が、正であり且つ所定の閾値以上」であるアクセスポイントで測定されたトラフィック量を用いて、予測対象アクセスポイントの予測トラフィック量を算出する際に用いられるトラフィック量の測定値を補完する、
ことを特徴とする請求項７に記載のコンピュータプログラム。
【請求項９】
前記トラフィック量予測処理は、予測対象アクセスポイントからの移動時間が所定時間の範囲内に位置するアクセスポイントの中で、「前記トラフィックデータ記憶部内のトラフィックデータにおいて予測対象アクセスポイントとの相関係数が、正であり且つ所定の閾値以上」であるアクセスポイントで測定された第１のトラフィック量と、「前記トラフィックデータ記憶部内のトラフィックデータにおいて予測対象アクセスポイントとの相関係数が、負であり且つ所定の閾値以下」であるアクセスポイントで測定された第２のトラフィック量と、を用いるものであって、第１のトラフィック量と第２のトラフィック量の和と、第１のトラフィック量と第２のトラフィック量の差とを用いて、予測対象アクセスポイントの予測トラフィック量を算出する際に用いられるトラフィック量の測定値を補完する、
ことを特徴とする請求項７に記載のコンピュータプログラム。
【請求項１０】
前記コンピュータに、
ユーザ識別情報と、当該ユーザ識別情報の移動端末がアクセスポイントを介してコンピュータネットワークに接続されるサーバコンピュータに対し情報検索を行った検索時刻と、当該ユーザ識別情報の移動端末が当該情報検索を行った時の位置を示す位置情報との組である検索履歴データを格納する検索履歴データベース内の検索履歴データをさらに用いて、トラフィック量予測処理を実行させるためのコンピュータプログラムであり、
前記トラフィック量予測処理は、前記検索履歴データベース内の検索履歴データを用いて、予測対象アクセスポイントから所定の移動時間で移動可能な区域内の位置を示す位置情報を有する検索履歴データのうち、検索時刻が所定期間内である検索履歴データの個数であって同一ユーザ識別情報の検索履歴データを一として計数した個数を用いて、予測対象アクセスポイントの予測トラフィック量を算出する際に用いられるトラフィック量の測定値を補完する、
ことを特徴とする請求項７に記載のコンピュータプログラム。
【請求項１１】
前記コンピュータに、
ユーザ識別情報と、当該ユーザ識別情報の移動端末がアクセスポイントを介してコンピュータネットワークに接続されるサーバコンピュータに対し情報検索を行った検索時刻と、当該ユーザ識別情報の移動端末が当該情報検索を行った時の位置を示す位置情報と、当該ユーザ識別情報の移動端末が移動する先の位置を示す移動先情報との組である検索履歴データを格納する検索履歴データベース内の検索履歴データをさらに用いて、トラフィック量予測処理を実行させるためのコンピュータプログラムであり、
前記トラフィック量予測処理は、前記検索履歴データベース内の検索履歴データを用いて、予測対象アクセスポイントから所定の移動時間で移動可能な区域内の位置を示す移動先情報を有する検索履歴データのうち、検索時刻が所定期間内であり且つ移動先に到着する時刻が所定期間内である検索履歴データの個数であって同一ユーザ識別情報の検索履歴データを一として計数した個数を用いて、予測対象アクセスポイントの予測トラフィック量を算出する際に用いられるトラフィック量の測定値を補完する、
ことを特徴とする請求項７に記載のコンピュータプログラム。
【請求項１２】
前記トラフィック量予測処理は、移動手段別に、前記補完に用いられるトラフィック量の測定値を重み付けする、ことを特徴とする請求項７から１１のいずれか１項に記載のコンピュータプログラム。
【発明の詳細な説明】
【技術分野】
【０００１】
本発明は、トラフィック量予測処理装置およびコンピュータプログラムに関する。
【背景技術】
【０００２】
従来、移動通信システムにおけるトラフィック量を予測する技術として、例えば非特許文献１が知られている。非特許文献１に記載の従来技術では、「Global System for Mobile Communications」やGPRS（General Packet Radio Service）、UMTS（Universal Mobile Telecommunications System）などのセルラーシステムにおいて、セル単位で測定されたトラフィックデータ（measured traffic per cell）を基にして、隣接するセル間でトラフィックデータを外挿したり平滑化したりしている。
【先行技術文献】
【非特許文献】
【０００３】
【非特許文献１】Thomas Winter, Ulrich Turke, Michael Koonert,“A generic approach for including live measurements and traffic forecasts in the generation of realistic traffic scenarios in mobile radio networks, ” MSWiM '04: Proceedings of the 7th ACM international symposium on Modeling, analysis and simulation of wireless and mobile systems.
【発明の概要】
【発明が解決しようとする課題】
【０００４】
しかし、上述した非特許文献１に記載の従来技術では、特に、WiFiスポットなどのカバーエリアが狭い移動通信システムに対して、以下に示すような不都合が生じる。
（１）隣接セル間でトラフィックデータを外挿したり平滑化したりするので、隣接セルより遠いセルから流入するユーザのトラフィックが存在する場合にはトラフィック量の予測の誤差が大きくなる。
（２）トラフィックデータを測定するセルの数が少ない場合にはトラフィック量の予測の精度が十分に得られない可能性がある。
【０００５】
本発明は、このような事情を考慮してなされたもので、移動通信システムにおけるトラフィック量の予測の精度向上を図ることができるトラフィック量予測処理装置およびコンピュータプログラムを提供することを課題とする。
【課題を解決するための手段】
【０００６】
上記の課題を解決するために、本発明に係るトラフィック量予測処理装置は、移動通信システムの基地局のアクセスポイントで測定されたトラフィック量を示すトラフィックデータを格納するトラフィックデータ記憶部と、前記トラフィックデータ記憶部内のトラフィックデータを用いて、予測対象アクセスポイントにおける将来のトラフィック量を予測するトラフィック量予測処理を行う予測処理部と、を備え、前記予測処理部は、予測対象アクセスポイントから所定の移動時間の範囲内に在るアクセスポイントで測定されたトラフィック量を用いて予測対象アクセスポイントの予測トラフィック量を算出する際に用いられるトラフィック量の測定値を補完するか、又は、トラフィック量が予測される将来の時刻に予測対象アクセスポイントの周辺に在ると推定される移動端末の数を用いて予測対象アクセスポイントの予測トラフィック量を算出する際に用いられるトラフィック量の測定値を補完する、ことを特徴とする。
【０００７】
本発明に係るトラフィック量予測処理装置において、前記予測処理部は、予測対象アクセスポイントからの移動時間が所定時間の範囲内に位置するアクセスポイントの中で、「前記トラフィックデータ記憶部内のトラフィックデータにおいて予測対象アクセスポイントとの相関係数が、正であり且つ所定の閾値以上」であるアクセスポイントで測定されたトラフィック量を用いて、予測対象アクセスポイントの予測トラフィック量を算出する際に用いられるトラフィック量の測定値を補完する、ことを特徴とする。
【０００８】
本発明に係るトラフィック量予測処理装置において、前記予測処理部は、予測対象アクセスポイントからの移動時間が所定時間の範囲内に位置するアクセスポイントの中で、「前記トラフィックデータ記憶部内のトラフィックデータにおいて予測対象アクセスポイントとの相関係数が、正であり且つ所定の閾値以上」であるアクセスポイントで測定された第１のトラフィック量と、「前記トラフィックデータ記憶部内のトラフィックデータにおいて予測対象アクセスポイントとの相関係数が、負であり且つ所定の閾値以下」であるアクセスポイントで測定された第２のトラフィック量とを用いるものであって、第１のトラフィック量と第２のトラフィック量の和と、第１のトラフィック量と第２のトラフィック量の差とを用いて、予測対象アクセスポイントの予測トラフィック量を算出する際に用いられるトラフィック量の測定値を補完する、ことを特徴とする。
【０００９】
本発明に係るトラフィック量予測処理装置において、ユーザ識別情報と、当該ユーザ識別情報の移動端末がアクセスポイントを介してコンピュータネットワークに接続されるサーバコンピュータに対し情報検索を行った検索時刻と、当該ユーザ識別情報の移動端末が当該情報検索を行った時の位置を示す位置情報との組である検索履歴データを格納する検索履歴データベースを備え、前記予測処理部は、前記検索履歴データベース内の検索履歴データを用いて、予測対象アクセスポイントから所定の移動時間で移動可能な区域内の位置を示す位置情報を有する検索履歴データのうち、検索時刻が所定期間内である検索履歴データの個数であって同一ユーザ識別情報の検索履歴データを一として計数した個数を用いて、予測対象アクセスポイントの予測トラフィック量を算出する際に用いられるトラフィック量の測定値を補完する、ことを特徴とする。
【００１０】
本発明に係るトラフィック量予測処理装置において、ユーザ識別情報と、当該ユーザ識別情報の移動端末がアクセスポイントを介してコンピュータネットワークに接続されるサーバコンピュータに対し情報検索を行った検索時刻と、当該ユーザ識別情報の移動端末が当該情報検索を行った時の位置を示す位置情報と、当該ユーザ識別情報の移動端末が移動する先の位置を示す移動先情報との組である検索履歴データを格納する検索履歴データベースを備え、前記予測処理部は、前記検索履歴データベース内の検索履歴データを用いて、予測対象アクセスポイントから所定の移動時間で移動可能な区域内の位置を示す移動先情報を有する検索履歴データのうち、検索時刻が所定期間内であり且つ移動先に到着する時刻が所定期間内である検索履歴データの個数であって同一ユーザ識別情報の検索履歴データを一として計数した個数を用いて、予測対象アクセスポイントの予測トラフィック量を算出する際に用いられるトラフィック量の測定値を補完する、ことを特徴とする。
【００１１】
本発明に係るトラフィック量予測処理装置において、前記予測処理部は、移動手段別に、前記補完に用いられるトラフィック量の測定値を重み付けする、ことを特徴とする。
【００１２】
本発明に係るコンピュータプログラムは、コンピュータに、移動通信システムの基地局のアクセスポイントで測定されたトラフィック量を示すトラフィックデータを格納するトラフィックデータ記憶部内のトラフィックデータを用いて、予測対象アクセスポイントにおける将来のトラフィック量を予測するトラフィック量予測処理を実行させるためのコンピュータプログラムであり、前記トラフィック量予測処理は、予測対象アクセスポイントから所定の移動時間の範囲内に在るアクセスポイントで測定されたトラフィック量を用いて予測対象アクセスポイントの予測トラフィック量を算出する際に用いられるトラフィック量の測定値を補完するか、又は、トラフィック量が予測される将来の時刻に予測対象アクセスポイントの周辺に在ると推定される移動端末の数を用いて予測対象アクセスポイントの予測トラフィック量を算出する際に用いられるトラフィック量の測定値を補完する、ことを特徴とする。
【００１３】
本発明に係るコンピュータプログラムにおいて、前記トラフィック量予測処理は、予測対象アクセスポイントからの移動時間が所定時間の範囲内に位置するアクセスポイントの中で、「前記トラフィックデータ記憶部内のトラフィックデータにおいて予測対象アクセスポイントとの相関係数が、正であり且つ所定の閾値以上」であるアクセスポイントで測定されたトラフィック量を用いて、予測対象アクセスポイントの予測トラフィック量を算出する際に用いられるトラフィック量の測定値を補完する、ことを特徴とする。
【００１４】
本発明に係るコンピュータプログラムにおいて、前記トラフィック量予測処理は、予測対象アクセスポイントからの移動時間が所定時間の範囲内に位置するアクセスポイントの中で、「前記トラフィックデータ記憶部内のトラフィックデータにおいて予測対象アクセスポイントとの相関係数が、正であり且つ所定の閾値以上」であるアクセスポイントで測定された第１のトラフィック量と、「前記トラフィックデータ記憶部内のトラフィックデータにおいて予測対象アクセスポイントとの相関係数が、負であり且つ所定の閾値以下」であるアクセスポイントで測定された第２のトラフィック量と、を用いるものであって、第１のトラフィック量と第２のトラフィック量の和と、第１のトラフィック量と第２のトラフィック量の差とを用いて、予測対象アクセスポイントの予測トラフィック量を算出する際に用いられるトラフィック量の測定値を補完する、ことを特徴とする。
【００１５】
本発明に係るコンピュータプログラムにおいては、前記コンピュータに、ユーザ識別情報と、当該ユーザ識別情報の移動端末がアクセスポイントを介してコンピュータネットワークに接続されるサーバコンピュータに対し情報検索を行った検索時刻と、当該ユーザ識別情報の移動端末が当該情報検索を行った時の位置を示す位置情報との組である検索履歴データを格納する検索履歴データベース内の検索履歴データをさらに用いて、トラフィック量予測処理を実行させるためのコンピュータプログラムであり、前記トラフィック量予測処理は、前記検索履歴データベース内の検索履歴データを用いて、予測対象アクセスポイントから所定の移動時間で移動可能な区域内の位置を示す位置情報を有する検索履歴データのうち、検索時刻が所定期間内である検索履歴データの個数であって同一ユーザ識別情報の検索履歴データを一として計数した個数を用いて、予測対象アクセスポイントの予測トラフィック量を算出する際に用いられるトラフィック量の測定値を補完する、ことを特徴とする。
【００１６】
本発明に係るコンピュータプログラムにおいては、前記コンピュータに、ユーザ識別情報と、当該ユーザ識別情報の移動端末がアクセスポイントを介してコンピュータネットワークに接続されるサーバコンピュータに対し情報検索を行った検索時刻と、当該ユーザ識別情報の移動端末が当該情報検索を行った時の位置を示す位置情報と、当該ユーザ識別情報の移動端末が移動する先の位置を示す移動先情報との組である検索履歴データを格納する検索履歴データベース内の検索履歴データをさらに用いて、トラフィック量予測処理を実行させるためのコンピュータプログラムであり、前記トラフィック量予測処理は、前記検索履歴データベース内の検索履歴データを用いて、予測対象アクセスポイントから所定の移動時間で移動可能な区域内の位置を示す移動先情報を有する検索履歴データのうち、検索時刻が所定期間内であり且つ移動先に到着する時刻が所定期間内である検索履歴データの個数であって同一ユーザ識別情報の検索履歴データを一として計数した個数を用いて、予測対象アクセスポイントの予測トラフィック量を算出する際に用いられるトラフィック量の測定値を補完する、ことを特徴とする。
【００１７】
本発明に係るコンピュータプログラムにおいて、前記トラフィック量予測処理は、移動手段別に、前記補完に用いられるトラフィック量の測定値を重み付けする、ことを特徴とする。
【発明の効果】
【００１８】
本発明によれば、移動通信システムにおけるトラフィック量の予測の精度向上を図ることができるという効果が得られる。
【図面の簡単な説明】
【００１９】
【図１】本発明の第１実施形態に係るトラフィック量予測システムの構成図である。
【図２】本発明の第３実施形態に係るトラフィック量予測システムの構成図である。
【図３】図２に示す検索履歴データベース１３の構成例である。
【図４】検索履歴データベース１３の他の構成例である。
【発明を実施するための形態】
【００２０】
以下、図面を参照し、本発明の各実施形態について説明する。
【００２１】
［第１実施形態］
図１は、本発明の第１実施形態に係るトラフィック量予測システムの構成図である。図１において、トラフィック量予測システムは、トラフィック量予測処理装置１０と、基地局アクセスポイント装置２０に具備されるトラフィック測定部２１とを有する。基地局アクセスポイント装置２０は、移動通信システムの基地局のアクセスポイントとして、移動通信システムの通信サービスを提供するカバーエリア内に配置される。トラフィック量予測処理装置１０と基地局アクセスポイント装置２０とは通信回線を介してデータを送受することができる。
【００２２】
基地局アクセスポイント装置２０において、トラフィック測定部２１は、自基地局アクセスポイント装置２０が処理するトラフィック量を測定する。基地局アクセスポイント装置２０は、トラフィック測定部２１が測定したトラフィック量を示すトラフィックデータをトラフィック量予測処理装置１０に送信する。
【００２３】
トラフィック量予測処理装置１０は、トラフィックデータ記憶部１１と予測処理部１２を有する。トラフィックデータ記憶部１１は、基地局アクセスポイント装置２０から受信したトラフィックデータを格納する。予測処理部１２は、トラフィックデータ記憶部１１内のトラフィックデータを用いて、トラフィック量予測処理を行う。なお、将来のトラフィック量が予測される基地局アクセスポイント装置２０を予測対象基地局アクセスポイント装置と称する。
【００２４】
以下、第１実施形態に係るトラフィック量予測処理を説明する。
予測処理部１２は、（１）式の時間的・重回帰式により、トラフィック量の予測値（予測トラフィック量）を算出する。
Ｙ［ｔ＋α］＝ａ＋ｂ×Ｙ［ｔ］＋ｃ×ｘ［ｔ］      ・・・（１）
【００２５】
（１）式において、Ｙ［ｔ＋α］は、予測対象基地局アクセスポイント装置における、時刻ｔからα時間後の予測トラフィック量である。Ｙ［ｔ］は、予測対象基地局アクセスポイント装置における時刻ｔのトラフィック量である。Ｙ［ｔ］には、トラフィックデータ記憶部１１内のトラフィックデータを使用する。
【００２６】
ｘ［ｔ］は、基地局アクセスポイント群Ａの平均トラフィック量である。基地局アクセスポイント群Ａは、予測対象基地局アクセスポイント装置からの移動時間がβ時間の範囲内に位置する基地局アクセスポイント装置２０の中で、「トラフィックデータ記憶部１１内のトラフィックデータにおいて予測対象基地局アクセスポイント装置との相関係数が、正であり且つ所定の閾値以上」である基地局アクセスポイント装置群を指す。βはα以下の値である。ａ、ｂ及びｃは、所定の係数である。
【００２７】
基地局アクセスポイント群Ａの平均トラフィック量は、トラフィックデータ記憶部１１内のトラフィックデータのうち、基地局アクセスポイント群Ａの全基地局アクセスポイント装置２０のトラフィックデータのトラフィック量の平均値である。
【００２８】
なお、予測対象基地局アクセスポイント装置からの移動時間がβ時間の範囲内に位置する基地局アクセスポイント装置２０は、予め設定されていてもよく、又は、β時間の設定値から所定の条件式を用いて算出してもよい。
【００２９】
第１実施形態では、予測対象基地局アクセスポイント装置から移動時間範囲内に在る基地局アクセスポイント装置２０を対象にした、空間相関を考慮した時間的・重回帰式を用いる。このとき、トラフィック量が予測される場所（予測対象基地局アクセスポイント装置）とトラフィックデータの相関が高い場所（基地局アクセスポイント装置２０）で発生したトラフィック量を反映させる。これにより、相関が強い空間部分で、トラフィック量の予測に用いるトラフィックデータの母数を増やすことにより、トラフィック量の予測の精度向上を図ることができる。
【００３０】
［第２実施形態］
第２実施形態は、上述した第１実施形態の変形例である。第２実施形態に係るトラフィック量予測システムの構成は、図１と同じである。以下、第２実施形態に係るトラフィック量予測処理を説明する。
【００３１】
予測処理部１２は、（２）式の時間的・重回帰式により、予測トラフィック量を算出する。
Ｙ［ｔ＋α］＝ａ＋ｂ×Ｙ［ｔ］＋ｄ×ｘ＿１［ｔ］＋ｅ×ｘ＿２［ｔ］      ・・・（２）
【００３２】
（２）式において、Ｙ［ｔ＋α］及びＹ［ｔ］は（１）式と同じである。ａ、ｂ、ｄ及びｅは、所定の係数である。
【００３３】
ｘ＿１［ｔ］は、（１）式のｘ［ｔ］における基地局アクセスポイント群Ａの平均トラフィック量「ＡＰ（＋）［ｔ］」と、基地局アクセスポイント群Ｂの平均トラフィック量「ＡＰ（−）［ｔ］」との和である。基地局アクセスポイント群Ｂは、予測対象基地局アクセスポイント装置からの移動時間がβ時間の範囲内に位置する基地局アクセスポイント装置２０の中で、「トラフィックデータ記憶部１１内のトラフィックデータにおいて予測対象基地局アクセスポイント装置との相関係数が、負であり且つ所定の閾値以下」である基地局アクセスポイント装置群を指す。
【００３４】
基地局アクセスポイント群Ｂの平均トラフィック量は、トラフィックデータ記憶部１１内のトラフィックデータのうち、基地局アクセスポイント群Ｂの全基地局アクセスポイント装置２０のトラフィックデータのトラフィック量の平均値である。
【００３５】
ｘ＿２［ｔ］は、基地局アクセスポイント群Ａの平均トラフィック量「ＡＰ（＋）［ｔ］」と、基地局アクセスポイント群Ｂの平均トラフィック量「ＡＰ（−）［ｔ］」との差である。
【００３６】
第２実施形態では、上述した第１実施形態に対してさらに、トラフィックデータの負の相関も考慮している。これは、「第１の基地局アクセスポイント装置２０のトラフィック量が増えると、第１の基地局アクセスポイント装置２０に近隣の第２の基地局アクセスポイント装置２０のトラフィック量も増える」場合（正の相関）と、「第１の基地局アクセスポイント装置２０のトラフィック量が増えると、第１の基地局アクセスポイント装置２０に近隣の第３の基地局アクセスポイント装置２０のトラフィック量が減る」場合（負の相関）とを考慮することを意味する。これにより、トラフィック量の変動のパターンを増やしてトラフィック量の予測を行うことができるので、トラフィック量の予測のさらねる精度向上が期待できる。
【００３７】
［第３実施形態］
図２は、本発明の第３実施形態に係るトラフィック量予測システムの構成図である。第３実施形態では、図１に示す第１実施形態と同様に、トラフィック量予測処理装置１０と、基地局アクセスポイント装置２０に具備されるトラフィック測定部２１とを有する。トラフィック量予測処理装置１０は、トラフィックデータ記憶部１１と予測処理部１２と検索履歴データベース１３を有する。トラフィックデータ記憶部１１及びトラフィック測定部２１は、第１実施形態と同じである。
【００３８】
図３は、図２に示す検索履歴データベース１３の構成例である。図３において、検索履歴データベース１３は、ユーザ識別情報（ユーザＩＤ）と検索時刻と位置情報の組である検索履歴データを格納する。検索時刻は、当該ユーザＩＤの移動端末が基地局アクセスポイント装置２０を介して、インターネット等のコンピュータネットワークに接続されるサーバコンピュータに対し、情報検索を行った時刻である。位置情報は、当該ユーザＩＤの移動端末が当該情報検索を行った時の位置を示す情報である。
【００３９】
検索履歴データベース１３は、事前に用意されてもよく、又は、基地局アクセスポイント装置２０が取得した情報（ユーザＩＤ、検索時刻および位置情報）をトラフィック量予測処理装置１０へ送信して構築されてもよい。
【００４０】
以下、第３実施形態に係るトラフィック量予測処理を説明する。
予測処理部１２は、（３）式の時間的・重回帰式により、予測トラフィック量を算出する。
Ｙ［ｔ＋α］＝ａ＋ｂ×Ｙ［ｔ］＋ｆ×ｘ＿３［ｔ］      ・・・（３）
【００４１】
（３）式において、Ｙ［ｔ＋α］及びＹ［ｔ］は（１）式と同じである。ａ、ｂ及びｆは、所定の係数である。
【００４２】
ｘ＿３［ｔ］は、移動可能区域Ｐ内に位置する移動端末が行った検索履歴の中で、検索時刻が時刻ｔから時刻「ｔ−γ」までの範囲である検索の件数である。移動可能区域Ｐは、予測対象基地局アクセスポイント装置からの移動時間がβ時間内である区域である。γはβ以下の値である。
【００４３】
移動可能区域Ｐは、予め設定されていてもよく、又は、β時間の設定値から所定の条件式を用いて算出してもよい。
【００４４】
予測処理部１２は、検索履歴データベース１３内の検索履歴データを用いて、移動可能区域Ｐ内の位置を示す位置情報を有する検索履歴データのうち、検索時刻が時刻ｔから時刻「ｔ−γ」までの範囲である検索履歴データの個数を計数する。但し、同一ユーザＩＤの検索履歴データについては重複して計数しない。
【００４５】
第３実施形態では、予測対象基地局アクセスポイント装置から移動時間範囲内に在る、情報検索を行った移動端末の台数に基づいて、将来に発生するだろうトラフィック量の予測を行うことができる。
【００４６】
［第４実施形態］
第４実施形態は、上述した第３実施形態の変形例である。第４実施形態に係るトラフィック量予測システムの構成は、図２と同じである。但し、検索履歴データベース１３は図４の構成例とする。
【００４７】
図４において、検索履歴データベース１３は、ユーザＩＤと検索時刻と位置情報と移動先情報の組である検索履歴データを格納する。ユーザＩＤ、検索時刻および位置情報は第３実施形態と同じである。移動先情報は、当該ユーザＩＤの移動端末が移動する先の位置を示す情報である。移動先としては、目的地であってもよく、又は、目的地に至る経路の途中の場所であってもよい。
【００４８】
検索履歴データベース１３は、例えば、移動端末がナビゲーションサービスを提供するサーバコンピュータに対して目的地までの経路情報の検索を行ったときの検索履歴データを格納する。
【００４９】
以下、第４実施形態に係るトラフィック量予測処理を説明する。
予測処理部１２は、（４）式の時間的・重回帰式により、予測トラフィック量を算出する。
Ｙ［ｔ＋α］＝ａ＋ｂ×Ｙ［ｔ］＋ｇ×ｘ＿４［ｔ］      ・・・（４）
【００５０】
（４）式において、Ｙ［ｔ＋α］及びＹ［ｔ］は（１）式と同じである。ａ、ｂ及びｇは、所定の係数である。
【００５１】
ｘ＿４［ｔ］は、移動可能区域Ｐ内を移動先とする移動端末が行った検索履歴の中で、検索時刻が時刻ｔから時刻「ｔ−γ」までの範囲であり、且つ、移動先に到着する時刻が時刻「［ｔ＋α］−η」から時刻「［ｔ＋α］＋η」までの範囲である検索の件数である。移動可能区域Ｐは、第３実施形態と同じである。ηはβ以下の値である。
【００５２】
予測処理部１２は、検索履歴データベース１３内の検索履歴データを用いて、移動可能区域Ｐ内の位置を示す移動先情報を有する検索履歴データのうち、検索時刻が時刻ｔから時刻「ｔ−γ」までの範囲であり、且つ、移動先に到着する時刻が時刻「［ｔ＋α］−η」から時刻「［ｔ＋α］＋η」までの範囲である検索履歴データの個数を計数する。但し、同一ユーザＩＤの検索履歴データについては重複して計数しない。
【００５３】
移動先に到着する時刻は、所定の条件を用いて算出してもよく、又は、移動端末がナビゲーションサービスを提供するサーバコンピュータに対して目的地までの経路情報の検索を行ったときの検索結果から取得してもよい。
【００５４】
第４実施形態では、予測対象基地局アクセスポイント装置から移動時間範囲内を移動先とする、情報検索を行った移動端末の台数に基づいて、将来に発生するだろうトラフィック量の予測を行うことができる。
【００５５】
上述した第３及び第４実施形態は、トラフィック量が予測される将来の時刻に予測対象基地局アクセスポイント装置の周辺に在る、と推定される移動端末の数を用いて、予測対象基地局アクセスポイント装置の予測トラフィック量を算出する際に用いられるトラフィック量の測定値を補完するものである。
【００５６】
［第５実施形態］
第５実施形態は、上述した各実施形態の変形例である。第５実施形態では、上述した各実施形態において、ｘ［ｔ］、ｘ＿１［ｔ］、ｘ＿２［ｔ］、ｘ＿３［ｔ］、ｘ＿４［ｔ］を算出する際に、複数の移動手段を考慮する。例えば、ｘ［ｔ］を（５）式により算出する。
ｘ［ｔ］＝Σ（ｉ＝１，・・・，ｎ）｛Ｗｉ×ｘｉ［ｔ］｝      ・・・（５）
【００５７】
（５）式において、ｎは移動手段の数である。ｘｉ［ｔ］は、移動手段ｉを用いた場合の基地局アクセスポイント群Ａの平均トラフィック量である。移動手段ｉを用いた場合の基地局アクセスポイント群Ａは、予測対象基地局アクセスポイント装置から移動手段ｉを用いた場合の移動時間がβ時間の範囲内に位置する基地局アクセスポイント装置２０の中で、「トラフィックデータ記憶部１１内のトラフィックデータにおいて予測対象基地局アクセスポイント装置との相関係数が、正であり且つ所定の閾値以上」である基地局アクセスポイント装置群を指す。
【００５８】
Ｗｉは、移動手段ｉに関する重み係数である。Ｗｉは、例えば、移動時間がβ時間の範囲内に、実際に予測対象基地局アクセスポイント装置へと他の基地局アクセスポイント装置２０から移動したトラフィック量を計測し、この計測値に基づいて予め決定された重み係数である。
【００５９】
ｘ＿１［ｔ］、ｘ＿２［ｔ］、ｘ＿３［ｔ］およびｘ＿４［ｔ］についても、（５）式と同様に算出する。
【００６０】
第５実施形態では、複数の移動手段（徒歩、自転車、バス、バイク、車、飛行機など）で移動端末が移動することを考慮して、将来に発生するだろうトラフィック量の予測を行うことができる。
【００６１】
以上、本発明の実施形態について図面を参照して詳述してきたが、具体的な構成はこの実施形態に限られるものではなく、本発明の要旨を逸脱しない範囲の設計変更等も含まれる。
【００６２】
また、上述した各実施形態に係るトラフィック量予測処理の各ステップを実現するためのプログラムをコンピュータ読み取り可能な記録媒体に記録して、この記録媒体に記録されたプログラムをコンピュータシステムに読み込ませ、実行することにより、トラフィック量予測処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６４】
１０…トラフィック量予測処理装置、１１…トラフィックデータ記憶部、１２…予測処理部、１３…検索履歴データベース、２０…基地局アクセスポイント装置、２１…トラフィック測定部
【図１】
2013197704.tif 000003
【図２】
2013197704.tif 000004
【図３】
2013197704.tif 000005
【図４】
2013197704.tif 000006